(57)【要約】【課題】本発明は、操作性のよい再生画像の角度回転機能を実現した画像表示装置および画像表示方法を提供することを課題とする。【解決手段】表示属性テーブル参照手段４、画像処理手段５、画像表示手段７、表示時間監視手段８、表示画像更新手段９のループで、画像データファイル６に保持されたスライド表示の対象となる複数の画像データ（静止画像）を一定時間毎に切り替えて表示している際に、回転指示コマンド受付手段２がリモートコントローラ１０から回転指示コマンドを受けると、表示属性テーブル更新手段３が現在表示している静止画像に対応する表示属性テーブル（ＴＢＬ）に、その回転指示の内容（回転角度）を書き込み、このテーブル更新に伴い画像処理手段５が、その表示中の静止画像を回転処理する。画像表示手段７は画像処理手段５が回転処理した静止画像を表示画面に表示する。【選択図】    図１
2004219811.tif 000002
【特許請求の範囲】
【請求項１】
画像の表示属性を設定する画像編集処理手段と、
前記画像を前記画像編集処理手段で設定された表示属性に従い表示する画像表示制御手段と
を具備したことを特徴とする画像表示装置。
【請求項２】
前記画像表示制御手段は、複数の静止画像を一定時間毎に切り替えて表示する画像切替制御手段を具備する請求項１記載の画像表示装置。
【請求項３】
前記画像の表示属性には、画像の回転パラメータを含む請求項１記載の画像表示装置。
【請求項４】
前記画像編集処理手段は、前記画像表示制御手段により表示された画像について表示属性を設定し、その設定した表示属性を前記表示中の画像に反映する請求項１記載の画像表示装置。
【請求項５】
コンテンツデータをネットワークを介してクライアントに配信するコンテンツ配信手段を更に具備し、クライアントに配信する画像について前記表示属性を付加して配信することを特徴とする請求項１記載の画像表示装置。
【請求項６】
前記画像表示制御手段により表示された画像に対して回転を指示する操作入力手段をさらに具備し、
前記画像編集処理手段は、前記操作入力手段から指示された回転情報を前記表示画像の表示属性として設定する請求項１記載の画像処理装置。
【請求項７】
前記操作入力手段は、回転指示ボタンを具備したリモートコントローラと、前記リモートコントローラの送信信号を受信し当該受信信号に従う指示コマンドを発行するリモートコントローラインタフェースとを具備する請求項６記載の画像表示装置。
【請求項８】
前記リモートコントローラインタフェースは、前記リモートコントローラに設けられた回転指示ボタンの操作回数と、設定した単位回転角度とをもとに、回転角度を指定した指示コマンドを発行して回転指示を行う請求項７記載の画像処理装置。
【請求項９】
前記リモートコントローラで指示可能なボタン操作のガイド情報を前記画像表示制御手段が表示する画像とともに表示する表示制御手段を具備した請求項７記載の画像処理装置。
【請求項１０】
画像の表示属性を設定するステップと、前記設定された表示属性に従う画像を表示するステップとを具備したことを特徴とする画像表示方法。
【請求項１１】
前記画像を表示するステップは、
複数の静止画像を一定時間毎に切り替えて表示する画像表示ステップと、
前記画像表示ステップにより表示中の画像について、前記画像の表示属性を設定するステップで設定された表示属性を受け付ける操作入力ステップと、
前記操作入力ステップで受け付けた表示属性に画像を回転するパラメータが含まれるとき、当該パラメータに従い前記表示中の画像を回転処理する画像処理ステップとを含み、
前記画像表示ステップは前記画像処理ステップで回転処理した画像を含んで複数の画像を一定時間毎に切り替えて表示することを特徴とする請求項１０記載の画像表示方法。
【請求項１２】
画像の表示属性を設定するステップは、
回転指示ボタンを具備したワイヤレスリモートコントローラから送信された回転指示を受信するステップと、
前記画像を表示するステップで表示されている画像に、前記受信した回転指示に従うパラメータをもつ表示属性を設定するステップとを含む請求項１０記載の画像表示方法。
【発明の詳細な説明】
【０００１】
【発明の属する技術分野】
本発明は、静止画像の表示機能をもつ情報処理装置に適用して好適な画像表示装置および画像表示方法に関する。
【０００２】
また本発明は、例えばコンテンツデータをネットワークを介してクライアントに配信するコンテンツ配信機能を備えたホームサーバ等の機器に適用して好適な画像表示装置および画像表示方法に関する。
【０００３】
【従来の技術】
近年、情報処理技術およびネットワーク技術の進展に伴い、家庭内のＴＶ、オーディオ機器、などの電子機器同士を融合させるためのホームネットワークシステムの開発が進められている。
【０００４】
ホームネットワークシステムにおいては、ホームサーバは、ネットワークを介してパーソナルコンピュータのようなクライアントに接続される。ホームサーバは、クライアントから再生要求されたコンテンツデータをネットワークを介してそのクライアントに配信する。
【０００５】
これら画像を扱うシステムの表示機能として、ディジタルスチルカメラ等で撮影した静止画像を一定時間毎に切り替えて表示する、所謂スライドショー再生機能が知られている（例えば、特許文献１参照）。
【０００６】
しかしながら、従来のスライドショー再生機能は、予め設定された複数枚の静止画について、予め設定された表示属性での連続的な切り替え表示機能であった。
【０００７】
【特許文献１】
特開２０００−２９５５５３公報（図１）
【０００８】
【発明が解決しようとする課題】
上述したように従来のスライドショー再生機能は、予め設定された複数枚の静止画について、予め設定された表示属性での連続的な切り替え表示機能であることから、例えば横撮りと縦撮りが混在した複数の静止画を対象に再生を行った際、再生前に、予め縦撮り画像を横撮り画像に変換処理しておくか、若しくは、再生画像のうち、向きを変えたい画像それぞれについて、その都度、再生を一旦、中止して、変換処理を行う必要があった。このため、従来では、再生画像を所定角度回転させて表示させたい際に、その操作性が悪いという問題があった。
【０００９】
本発明は上記実情に鑑みなされたもので、静止画像の表示機能を拡充できるとともに操作性のよい再生画像の編集機能を実現できる画像表示装置および画像表示方法を提供することを目的とする。
【００１０】
【課題を解決するための手段】
本発明は、画像の表示属性を設定する画像編集処理手段と、前記画像を前記画像編集処理手段で設定された表示属性に従い表示する画像表示制御手段とを具備した画像表示装置を特徴とするもので、例えば、前記画像表示制御手段が、複数の静止画像を一定時間毎に切り替えて表示し、前記画像編集処理手段が、前記画像表示制御手段により表示された画像について表示属性を設定し、その設定した表示属性を前記表示中の画像に反映することで、スライドショー再生に於いて任意画像の回転（横縦変換）等が可能となる。また、次回のスライドショー再生に於いて、今回設定した表示属性で（今回編集した）スライドショー再生が行えることから、画像再生機能を拡充できる。また、コンテンツデータをネットワークを介してクライアントに配信するコンテンツ配信手段を備えて、クライアントに配信する画像について前記表示属性を付加して配信することにより、編集された見易い画像を配信できる。また、前記操作入力手段を、回転指示ボタンを具備したリモートコントローラと、前記リモートコントローラの送信信号を受信し当該受信信号に従う指示コマンドを発行するリモートコントローラインタフェースとを具備して構成することで、只１回の簡単な操作で迅速に表示中の再生画像を回転（横縦変換）指示できる。
【００１１】
【発明の実施の形態】
以下、図面を参照して本発明の実施形態を説明する。
【００１２】
図１および図２は本発明に係る画像表示装置の概要を説明するための図であり、図１は機能構成図、図２は動作説明図である。
【００１３】
通常は、表示属性テーブル参照手段４、画像処理手段５、画像表示手段７、表示時間監視手段８、表示画像更新手段９のループで、画像データファイル６に保持されたスライド表示の対象となる複数の画像データ（静止画像）が、設定順に、一定時間毎に切り替えて表示される。この際は、図２に示すオリジナル画像データ（静止画像）２ａがそのままの向きで表示画面に表示される。
【００１４】
このようにして複数の静止画像を一定時間毎に切り替えて表示している際に、回転指示コマンド受付手段２が、例えばリモートコントローラ１０から回転指示コマンドを受ける（受信する）と、表示属性テーブル更新手段３が、現在表示している静止画像に対応する表示属性テーブル（ＴＢＬ）に、その回転指示の内容（回転角度）を書き込み、表示属性テーブル（ＴＢＬ）を更新する。
【００１５】
画像処理手段５は、現在表示中の静止画像に対応する表示属性テーブル（ＴＢＬ）が更新されると、その静止画像を表示属性テーブル（ＴＢＬ）に設定された回転角度で回転処理する。画像表示手段７は画像処理手段５が回転処理した静止画像を表示画面に表示する。この際は、図２に示すオリジナル画像データ（静止画像）２ｂが回転指示に従う角度で回転されて（図では９０度）表示画面に表示される。
【００１６】
このようにして、複数の静止画像を一定時間毎に切り替えて表示している際に、回転指示を受けると、現在表示している静止画像に対応する表示属性テーブルが更新され、このテーブル更新に伴い、現在表示中の静止画像がリアルタイムで回転されて表示画面に表示される。これにより、複数の静止画像を一定時間毎に切り替えて表示している際（スライドショー再生の際）に、その処理モードを中断することなく、簡単な操作で容易に所望する任意のスライド表示対象画像を任意の角度で回転させることができる。また、その回転指示の内容を保持することによって、再度、スライド再生した際に、その保持した内容を再生表示画像に反映させることができる。
【００１７】
ここで、上記した本発明の画像表示機能を実現した、より具現化した装置の構成例について以下に説明する。
【００１８】
図３には、本発明の一実施形態に係る情報処理装置を用いたホームネットワークシステムの構成が示されている。
【００１９】
このホームネットワークシステムは、ワイヤレスＡＶ（オーディオ・ビデオ）ステーション１０１、ＴＶ（テレビジョン）受像機１０２、およびノートブックタイプのパーソナルコンピュータ１０３，１０４、デスクトップタイプのパーソナルコンピュータ１０５等から構成されている。ＴＶ受像機１０２は受信機能（ＴＶチューナ）を持たない、ＣＲＴディスプレイ、ＬＣＤパネル、プラズマディスプレイ等の各種モニタを適用できる。
【００２０】
ワイヤレスＡＶステーション１０１はホームネットワークサーバとして機能する装置であり、例えば赤外線通信手段を用いたリモートコントローラ１０により指示および制御が可能である。
【００２１】
このワイヤレスＡＶステーション１０１は、ＴＶ等の放送番組データの視聴、およびインターネット閲覧等に関するサービスを、家庭内の無線または有線のネットワークを介してパーソナルコンピュータ１０３〜１０５などの各情報処理装置に提供する。
【００２２】
ワイヤレスＡＶステーション１０１は、例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃａｂｌｅ  ＴＶ）などの通信回線１３を介して、インターネット１２などの外部のグローバルネットワーク（外部ネットワーク）に接続されている。さらに、ワイヤレスＡＶステーション１０１は、ホームネットワークを構成する有線または無線のネットワークを介して、家庭内の各種情報処理装置に接続されている。
【００２３】
パーソナルコンピュータ１０３〜１０５の各々は、ワイヤレスＡＶステーション１０１のクライアントとして機能する情報処理装置である。ノートブックタイプのパーソナルコンピュータ１０３，１０４には無線通信デバイスが設けられており、これらノートブックタイプのパーソナルコンピュータ１０３，１０４の各々はワイヤレスＡＶステーション１０１に無線通信ネットワーク（無線ＬＡＮ）を介して接続することができる。さらに、パーソナルコンピュータ１０３，１０４は、有線通信ネットワーク（有線ＬＡＮ）を介してワイヤレスＡＶステーション１０１に接続することもできる。デスクトップタイプのパーソナルコンピュータ１０５は有線通信ネットワーク（有線ＬＡＮ）を介してワイヤレスＡＶステーション１０１に接続されている。
【００２４】
ワイヤレスＡＶステーション１０１は、パーソナルコンピュータ１０３〜１０５それぞれをインターネット１２に接続し、そしてインターネット１２上のＷＥＢサイトとパーソナルコンピュータ１０３〜１０５それぞれとの間のデータの送受信を行う。
【００２５】
屋外に設置されたＴＶ放送受信アンテナ１１１に接続されたアンテナケーブルは屋内に引き込まれている。そのアンテナケーブルにはＴＶ受像機１０２とワイヤレスＡＶステーション１０１とが接続されている。放送局から送信される放送番組データはＴＶ受像機１０２にて受信および再生できる他、ワイヤレスＡＶステーション１０１でも受信することができる。ワイヤレスＡＶステーション１０１は、受信した放送番組データを、無線ＬＡＮまたは有線ＬＡＮを介してノートブックタイプのパーソナルコンピュータ１０３，１０４に無線で送信する。またワイヤレスＡＶステーション１０１は、受信した放送番組データを、有線ＬＡＮを介してデスクトップタイプのパーソナルコンピュータ１０５に送信する。
【００２６】
ワイヤレスＡＶステーション１０１によって提供される主な機能は次の通りである。
【００２７】
・無線ルータ機能：
無線ルータ機能は、無線ＬＡＮを介してワイヤレスＡＶステーション１０１と通信可能な各情報処理装置を、ワイヤレスでインターネット１２に接続し、インターネット１２上のＷＥＢサイトと各情報処理装置との間のデータの送受信を行う機能である。ユーザは、無線ＬＡＮを介してワイヤレスＡＶステーション１０１と接続可能なノートブックタイプのパーソナルコンピュータ１０３または１０４を使用することにより、家庭内のどこからでもワイヤレスでインターネット閲覧を行うことができる。
【００２８】
・ＴＶ機能：
ＴＶ機能は、無線ＬＡＮまたは有線ＬＡＮを介してワイヤレスＡＶステーション１０１に接続された各情報処理装置に対して、ワイヤレスＡＶステーション１０１で受信された放送番組データを送信する機能である。ユーザは、ノートブックタイプのパーソナルコンピュータ１０３または１０４を用いることにより、家庭内のどこからでも現在放送中の放送番組データ（ライブ映像）を視聴することができる。
【００２９】
・ＴＶ録画機能：
ワイヤレスＡＶステーション１０１には、放送番組データを記録するための大容量ストレージデバイスとして磁気ディスクドライブ装置（ハードディスクドライブ；ＨＤＤ）が内蔵されている。ワイヤレスＡＶステーション１０１は、例えば現在放送中の放送番組データを情報処理装置にワイヤレスで送信しながら、その放送番組データを磁気ディスクドライブ装置にファイルとして記録することができる。また、ワイヤレスＡＶステーション１０１は、磁気ディスクドライブ装置に既に記録されている放送番組データ（録画映像）を情報処理装置にワイヤレスで送信しながら、現在放送中の別の放送番組データを受信してそれを磁気ディスクドライブ装置に記録することもでき、磁気ディスクドライブ装置に記録された放送番組データをＴＶ受像機１０２に出力することもできる。また、放送番組データからピックアップした画像をスライドショー再生用画像として磁気ディスクドライブ装置に記録できる。
【００３０】
・コンテンツサーバ機能
ワイヤレスＡＶステーション１０１は、各情報処理装置からのデータ取得要求に応じて、磁気ディスクドライブ装置にファイルとして記録された放送番組データ等の各種コンテンツを要求元の情報処理装置に送信することができる。
【００３１】
・遠隔制御機能：
ワイヤレスＡＶステーション１０１のＴＶ機能・ＴＶ録画機能等は、パーソナルコンピュータ１０３〜１０５のそれぞれから遠隔制御することが出来る。またワイヤレスＡＶステーション１０１を操作するための専用のリモコンユニットを用いて、ワイヤレスＡＶステーション１０１のＴＶ機能・ＴＶ録画機能等を制御することも出来る。さらに、携帯電話やパーソナルコンピュータからインターネットを通じてワイヤレスＡＶステーション１０１を遠隔制御することもできる。
【００３２】
・スライドショー再生機能：
ワイヤレスＡＶステーション１０１は、放送番組データからピックアップした画像、ディジタルスチルカメラで撮影した画像等をスライドショー再生用画像として磁気ディスクドライブ装置に蓄え、ＴＶ受像機１０２にスライドショー再生画像を表示することもできる。この際、ワイヤレスＡＶステーション１０１は、スライドショー再生中に於いて、例えばリモートコントローラ１０から表示中の画像について回転指示を受けると、その回転指示に従い、表示中の画像を回転処理し、回転処理した画像を含んで複数の画像を一定時間毎に切り替えて表示する機能をもつ。このスライドショー再生機能については図４乃至図８を参照して後述する。
【００３３】
次に、図４および図５を参照して、ワイヤレスＡＶステーション１０１の構成を説明する。
【００３４】
図４に示されているように、ワイヤレスＡＶステーション１０１は、大別して３つコンポーネント、すなわち、チューナ／ＭＰＥＧ部２１、ＣＰＵ部３１、および通信部４１の３つコンポーネントから構成されている。
【００３５】
これらチューナ／ＭＰＥＧ部２１、ＣＰＵ部３１、および通信部４１は、ＰＣＩバスなどのバス２０にそれぞれ接続されている。さらに、バス２０には、磁気ディスクドライブ装置（ハードディスクドライブ；ＨＤＤ）５１も接続されている。
【００３６】
チューナ／ＭＰＥＧ部２１は、放送番組データの受信処理、およびその受信した放送番組データを圧縮符号化するエンコード処理、さらには圧縮符号化されたＴＶ放送番組データを復号するデコード処理などを実行する。
【００３７】
このチューナ／ＭＰＥＧ部２１には、図５に示すように、ＴＶチューナ２１１、ＮＴＳＣ（Ｎａｔｉｏｎａｌ  ＴＶ  Ｓｔａｎｄａｒｄｓ  Ｃｏｍｍｉｔｔｅｅ）デコーダ２１２、音声多重デコーダ２１３、オーディオＡ／Ｄコンバータ（オーディオＡＤＣ）２１４、ＭＰＥＧ２エンコーダ２１５、ＲＡＭ２１６、ＰＣＩバスインターフェース（ＰＣＩ−ＩＦ）２１７、ＭＰＥＧ２デコーダ２１８、ＲＡＭ２１９、オーディオＤ／Ａコンバータ（オーディオＤＡＣ）２２０などが設けられている。
【００３８】
ＴＶチューナ２１１はＴＶアンテナコネクタ３０１を介してＴＶアンテナケーブルに接続されている。ＴＶチューナ２１１は、パーソナルコンピュータ１０３〜１０５またはリモートコントローラ１０から視聴要求（再生要求）されたチャネルの放送番組データを受信するデバイスであり、視聴要求に基づいて、ＴＶ放送信号の受信及びチャネル選択を行う。ＴＶチューナ２１１によって受信された、あるチャネルのＴＶ放送番組データは、ＮＴＳＣデコーダ２１２に送られ、そこでビデオ信号（動画像）とオーディオ信号とに分離され、さらに必要に応じてデジタルデータへの変換処理が施される。
【００３９】
ＮＴＳＣデコーダ２１２はビデオ入力端子３０２にも接続されており、例えばＤＶＤ（Ｄｉｇｉｔａｌ  Ｖｅｒｓａｔｉｌｅ  Ｄｉｓｃ）プレイヤやＶＣＲ（Ｖｉｄｅｏ  ｃａｓｓｅｔｔｅ  Ｒｅｃｏｒｄｅｒ）などの、外部のビデオ機器からビデオ信号を入力することもできる。ＴＶ放送番組データに重畳されている音声多重信号は音声多重デコーダ２１３で復調された後、オーディオＡ／Ｄコンバータ（オーディオＡＤＣ）２１４に送られ、そこでデジタルデータに変換される。オーディオＡ／Ｄコンバータ（オーディオＡＤＣ）２１４はオーディオ入力端子３０３にも接続されており、外部のビデオ・オーディオ機器からオーディオ信号を入力することもできる。
【００４０】
ＭＰＥＧ２エンコーダ２１５は、入力されたビデオデータおよびオーディオデータをそれぞれ圧縮符号化するためのエンコード処理を実行する。このエンコード処理は、ＭＰＥＧ２の規格に従って実行される。ＲＡＭ２１６は、ＭＰＥＧ２エンコーダ２１５がエンコード処理を行うための作業メモリとして用いられる。ＴＶチューナ２１１によって受信された放送番組データはＭＰＥＧ２エンコーダ２１５によってエンコードされ、これによってＭＰＥＧ２ストリームに変換される。
【００４１】
ＰＣＩバスインターフェース（ＰＣＩ−ＩＦ）２１７はチューナ／ＭＰＥＧ部２１をバス２０に接続するインターフェースであり、チューナ／ＭＰＥＧ部２１がバス２０を介してＣＰＵ部３１およびＨＤＤ５１それぞれとの通信を行うために用いられる。ＰＣＩバスインターフェース（ＰＣＩ−ＩＦ）２１７には、ＣＰＵ部３１がアクセス可能なレジスタ群が内蔵されており、ＴＶチューナ２１１およびＭＰＥＧ２エンコーダ２１５それぞれの動作は、ＣＰＵ部３１によってＰＣＩバスインターフェース（ＰＣＩ−ＩＦ）２１７のレジスタ群にセットされるコマンドに応じて制御される。
【００４２】
ＭＰＥＧ２デコーダ２１８は、ＭＰＥＧ２形式にエンコードされた放送番組データをデコードする。ＲＡＭ２１９は、ＭＰＥＧ２デコーダ２１８がデコード処理を行うための作業メモリとして用いられる。
【００４３】
ＭＰＥＧ２デコーダ２１８によってデコードされたビデオデータはビデオ出力端子３０５を介してＴＶ受像機１０２などに送られ、またＭＰＥＧ２デコーダ２１８によってデコードされたオーディオデータは、必要に応じてオーディオＤ／Ａコンバータ（オーディオＤＡＣ）２２０にてアナログ信号に変換された後に、オーディオ出力端子３０４から外部のオーディオ／ビデオ機器に出力される。
【００４４】
ＣＰＵ部３１は、チューナ／ＭＰＥＧ部２１のＴＶチューナ２１１、ＭＰＥＧ２エンコーダ２１５、およびＭＰＥＧ２デコーダ２１８の制御を行うとともに、ＨＤＤ５１へのデータの書き込みおよびＨＤＤ５１からのデータ読み出しの制御を行う。また、ＣＰＵ部３１は、通信部４１との通信によって、パーソナルコンピュータ１０３〜１０５から送信されるＴＶ視聴に関するコマンドを受信したり、パーソナルコンピュータ１０３〜１０５に送信すべき放送番組データのＭＰＥＧ２ストリームを通信部４１に送信する。
【００４５】
ＣＰＵ部３１は、図４に示すように、ＣＰＵ３１１と、ＣＰＵ３１１のＣＰＵバスとＰＣＩバス２０とを接続するバスブリッジ３１２と、主メモリ３１３とから構成されている。
【００４６】
主メモリ３１３には、オペレーティングシステム（ＯＳ）、およびワイヤレスＡＶステーション機能を実現する各種のアプリケーションプログラムが格納される。この実施形態に於いては、スライドショー再生中に於いて、リモートコントローラ１０から表示中の画像について回転指示を受けると、その回転指示に従い、表示中の画像を回転処理し、回転処理した画像を含んで複数の画像を一定時間毎に切り替えて表示するスライドショー再生機能を実現するスライドショー再生処理プログラムが格納される。このスライドショー再生処理プログラムに於ける処理手順は図６に示される。このスライドショー再生処理プログラムは、ＨＤＤ５１のコンテンツ保存領域に記録されたスライドショー再生画像に付随して設けられる表示属性テーブル（ＴＢＬ）をリモートコントローラ１０からの回転指示に従い書き換える、図１に示す回転指示コマンド受付手段２、および表示属性テーブル更新手段３の各機能を実現する処理機能と、ＨＤＤ５１に記憶された表示属性テーブル（ＴＢＬ）を参照してスライドショー再生画像を表示する、表示属性テーブル参照手段４、画像処理手段５、画像表示手段７、表示時間監視手段８、および表示画像更新手段９の各機能を実現する処理機能とが含まれる。
【００４７】
通信部４１は、それ単独で無線ＬＡＮルータとして動作可能な通信制御装置である。通信部４１は、パーソナルコンピュータ１０３，１０４に無線接続可能に構成されており、また有線ＬＡＮを介してパーソナルコンピュータ１０５にも接続されている。通信部４１は、パーソナルコンピュータ１０３〜１０５の各々から送信される要求に応じて、それらパーソナルコンピュータ１０３〜１０５それぞれをインターネット１２に接続し、そしてパーソナルコンピュータ１０３〜１０５それぞれとインターネット１２との間のデータの送受信を行う。
【００４８】
通信部４１には、図５に示すように、制御プロセッサ４１１、ＲＡＭ４１２、ＲＯＭ４１３、ネットワークコントローラ４１４、２つのワイヤレスＬＡＮデバイス４１５，４１７、ＷＡＮコネクタ５０１、およびＬＡＮコネクタ５０２などが設けられている。
【００４９】
ＷＡＮ（Ｗｉｄｅ  Ａｒｅａ  Ｎｅｔｗｏｒｋ）コネクタ５０１はインターネット１２との間のデータの送受信に用いられるブロードバンド用端子であり、コネクタ５０１は例えばモデム等を介して通信回線１３に接続される。ＬＡＮコネクタ５０２は家庭内の有線ＬＡＮに接続される。ネットワークコントローラ４１４は、ＷＡＮコネクタ５０１を介したインターネット１２との間のデータの送受信、およびＬＡＮコネクタ５０２を介した家庭内有線ＬＡＮとの間のデータの送受信、を制御するネットワーク制御デバイスである。ワイヤレスＬＡＮデバイス４１５，４１７の各々は、無線ＬＡＮを介してパーソナルコンピュータ１０３，１０４との間のデータの送受信を行う無線通信デバイスであり、対応するアンテナ４１６，４１７を介してパーソナルコンピュータ１０３，１０４それぞれと無線通信する。ワイヤレスＬＡＮデバイス４１５はＩＥＥＥ８０２．１１ｂ規格に準拠した無線通信を実行するように構成されており、またワイヤレスＬＡＮデバイス４１７はＩＥＥＥ８０２．１１ａ規格に準拠した無線通信を実行するように構成されている。制御プロセッサ４１１は、ネットワークコントローラ４１４およびワイヤレスＬＡＮデバイス４１５，４１７を制御することにより、パーソナルコンピュータ１０３〜１０５それぞれとインターネット１２との間のデータの送受信を制御する。
【００５０】
さらに、ワイヤレスＡＶステーション１０１には、カードコントローラ６１およびカードスロット６２、ＥＣ／ＫＢＣ６３、リモートコントローラインタフェース（リモコンＩ／Ｆ）６４、動作ステータス表示器（ＶＦＤパネル）６５などが設けられている。カードコントローラ６１は、ワイヤレスＡＶステーション１０１に設けられたカードスロット６２に装着されたメモリカードに対するアクセスを制御する。カードコントローラ６１は、メモリカードに記憶された静止画データやオーディオデータを読み取り、それをＨＤＤ５１に記録する等に用いられる。
【００５１】
ＥＣ／ＫＢＣ６３およびリモートコントローラインタフェース６４は、リモートコントローラ１０から赤外線信号等によって送信されるリモコンコードを受信するために用いられる。受信されたリモコンコードは、バス２０を介してＣＰＵ部３１に送られる。この実施形態では、スライドショー再生時に於いて、リモートコントローラ１０から送信される回転指示コマンドを受付けて、ＣＰＵ部３１に通知する。ＣＰＵ部３１はこの通知を受けると、図６に示すような処理手順によるスライドショー再生処理プログラムを実行して、再生中の静止画像を回転制御する。
【００５２】
ＨＤＤ５１は、放送番組データ、静止画データ、オーディオデータ等のさまざまなコンテンツを記録するために用いられる。この実施形態では、スライドショー再生用画像、およびそのスライドショー再生画像に付随する表示属性テーブル（ＴＢＬ）が記憶される。この表示属性テーブル（ＴＢＬ）は、スライドショー再生用画像をスライド再生している際に参照され、スライド再生中に於いて、リモートコントローラ１０の回転指示に従い、その指示内容に更新される。
【００５３】
ＣＰＵ３１１は、ＨＤＤ５１に記録されたコンテンツをコンテンツデータベースとして管理する。コンテンツデータベースには、ＨＤＤ５１に記録されたコンテンツデータ毎に、例えば番組タイトル名、チャネル番号、曲名、ジャンル、アーティスト名等の付帯情報が記憶されている。ＣＰＵ３１１は、情報処理装置またはリモートコントローラ１０から送信されるコマンドに応じて、コンテンツデータベースの内容をＴＶ受像機１０２の画面上または情報処理装置にコンテンツ一覧メニューとして提供する。ユーザは、コンテンツ一覧メニューを参照しながら希望するコンテンツデータを選択することができる。
【００５４】
図６は上記ＣＰＵ３１１により実行されるスライドショー再生処理プログラムの処理手順を示すフローチャートである。ここで、ステップＳ１０１の処理は図１に示す表示属性テーブル参照手段４の機能に相当し、ステップＳ１０２の処理は同じく画像処理手段５の機能に相当し、ステップＳ１０３の処理は同じく画像表示手段７の機能に相当し、ステップＳ１０４の処理は同じく回転指示コマンド受付手段２の機能に相当する。
【００５５】
図７は上記ＴＶ受像機１０２の表示画面上でスライドショー再生画像を表示している際の表示画面構成例を示したもので、スライドショー再生時に於いて操作可能なリモートコントローラ１０のボタンが機能とともに表示される。
【００５６】
図８は上記リモートコントローラ１０のボタン配置例を示したもので、上記図７に示した表示画面上のボタン機能表示との関係を符号８１〜８７で対応付けて示している。例えば、図７に示す表示画面上於いて「左回転」の指示機能が割り付けられたリモートコントローラ１０のボタン８１を１回操作することにより、表示中の画像を９０度左回転する回転指示コマンドがリモートコントローラ１０からリモートコントローラインタフェース６４に受け付けられＣＰＵ３１１に通知される。また「右回転」の指示機能が割り付けられたリモートコントローラ１０のボタン８２を１回操作することにより、表示中の画像を９０度右回転する回転指示コマンドがリモートコントローラ１０からリモートコントローラインタフェース６４に受け付けられＣＰＵ３１１に通知される。また「左回転」若しくは「右回転」の指示機能が割り付けられたリモートコントローラ１０のボタン８１若しくは８２を２回操作することにより、表示中の画像を１８０度回転（上下反転）する回転指示コマンドがリモートコントローラ１０からリモートコントローラインタフェース６４に受け付けられＣＰＵ３１１に通知される。
【００５７】
ここで、上記図３乃至図８を参照して本発明の実施形態に於けるスライドショー再生処理動作を説明する。
【００５８】
ワイヤレスＡＶステーション１０１のＨＤＤ５１が保持しているスライドショー再生用画像をＴＶ受像機１０２の表示画面上に表示する際、ユーザはリモートコントローラ１０の所定のボタン操作でスライドショー再生画像を特定し、再生開始ボタン８５を押下操作して、スライドショーの再生開始を指示する。この再生開始ボタン８５を押下操作に伴う指示コマンドはリモートコントローラインタフェース６４、ＥＣ／ＫＢＣ６３、バス２０を介してＣＰＵ３１１に通知される。
【００５９】
ＣＰＵ３１１は上記指示コマンドを受けると、主メモリ３１３に格納されたスライドショー再生処理プログラムを起動し、図６に示すようなスライドショー再生処理を実行する。
【００６０】
この再生処理では、先ず、ＨＤＤ５１より、再生するスライドショー再生用画像と、そのスライドショー再生用画像に対応する表示属性テーブル（ＴＢＬ）を読出し、表示属性テーブル（ＴＢＬ）を参照して（図６ステップＳ１０１）、その内容に従う画像処理を行い（図６ステップＳ１０２）、ＴＶ受像機１０２の表示画面にスライド画像を表示する（図６ステップＳ１０３）。この際、リモートコントローラ１０から指示コマンドが送信されていなければ（図６ステップＳ１０４、およびステップＳ１０５が共にＮｏ）、設定時間経過毎に、スライド画像を切り替える（図６ステップＳ１０７、Ｓ１０８）。
【００６１】
上記スライド画像の表示中に、例えばリモートコントローラ１０の一時停止ボタン８６が押下操作されると、リモートコントローラ１０から、一時停止指示コマンドが送信される。ＣＰＵ３１１はこの指示コマンドを受けると、再び再生開始ボタン８５が押下操作されるまでの間、画像表示時間（設定時間）を計時するカウンタの動作を停止する（図６ステップＳ１０６，Ｓ１０７）。
【００６２】
また上記スライド画像の表示中に、リモートコントローラ１０から回転指示コマンドが送信されると、このコマンド受信に伴い、現在表示中のスライド画像に対応する表示属性テーブル（ＴＢＬ）に、上記回転指示コマンドの指示に従う回転角度を書き込み、テーブルを更新する（図６ステップＳ１０５）。更に、このテーブル更新に伴い、上記表示中のスライド画像を上記更新内容に従い回転処理して、その回転処理したスライド画像を表示する（図６ステップＳ１０１〜Ｓ１０３）。
【００６３】
このようにして、リモートコントローラ１０から回転指示を受けると、現在表示しているスライド画像（静止画像）に対応する表示属性テーブル（ＴＢＬ）を更新して、そのテーブル更新に伴い、現在表示中のスライド画像をリアルタイムで回転処理し表示画面に表示する。これにより、スライドショー再生の際に、そのスライドショー再生を中断することなく、簡単な操作で容易に所望する任意のスライド表示対象画像を任意の角度で回転させることができる。また、その回転指示の内容が表示属性テーブル（ＴＢＬ）に保持されているので、再度書き換えが行われるまで、その指示した回転角度でスライド再生が行われる。また、ここで表示属性テーブル（ＴＢＬ）に設定したスライドショー再生用画像は、ＴＶ受像機１０２だけでなく、通信部４１を介して、ノートブックタイプのパーソナルコンピュータ１０３，１０４、デスクトップタイプのパーソナルコンピュータ１０５等に配信でき、配信先のパーソナルコンピュータで上記同様のスライドショー再生を行うことができる。
【００６４】
尚、上記した実施形態では、静止画像の表示属性として、横・縦変換等の回転のみをパラメータとした表示属性を例にとったが、例えば縦・横サイズ、コントラスト、色調、拡大倍率等、複数種の表示パラメータを設定して、これらの各パラメータを今回および次回のスライドショー再生に反映させることも可能である。
【００６５】
【発明の効果】
以上詳記したように本発明によれば、例えばスライドショー再生等の静止画表示機能をもつ情報処理装置に於いて、静止画の表示機能を拡充できるとともに操作性のよい再生画像の編集機能が実現できる。
【図面の簡単な説明】
【図１】本発明に係る画像表示装置の概要を説明するための機能構成図。
【図２】上記画像表示装置の概要を説明するための動作説明図。
【図３】本発明の実施形態に係るホームネットワークシステムの構成を示す図。
【図４】図３に示すホームネットワークシステムに設けられたサーバの構成を示すブロック図。
【図５】図３に示すホームネットワークシステムに設けられたサーバの構成を示すブロック図。
【図６】上記実施形態に於けるスライドショー再生処理プログラムの処理手順を示すフローチャート。
【図７】上記実施形態に於けるスライドショー再生時の表示画面構成例を示す図。
【図８】上記実施形態に於けるリモートコントローラ１０のボタン配置例を示す図。
【符号の説明】
２…回転指示コマンド受付手段、３…表示属性テーブル更新手段、４…表示属性テーブル参照手段、５…画像処理手段、６…画像データファイル、７…画像表示手段、８…表示時間監視手段、９…表示画像更新手段、１０…リモートコントローラ、１１…ＴＶ放送受信アンテナ、１２…インターネット、２０…バス、２１…チューナ／ＭＰＥＧ部、３１…ＣＰＵ部、４１…通信部、５１…ＨＤＤ、６３…ＥＣ／ＫＢＣ、６４…リモートコントローラインタフェース（リモコンＩ／Ｆ）、１０１…ワイヤレスＡＶステーション（サーバ）、１０２…ＴＶ（テレビジョン）受像機、１０３〜１０５…パーソナルコンピュータ、ＴＢＬ…表示属性テーブル。
【図１】
2004219811.tif 000003
【図２】
2004219811.tif 000004
【図３】
2004219811.tif 000005
【図４】
2004219811.tif 000006
【図５】
2004219811.tif 000007
【図６】
2004219811.tif 000008
【図７】
2004219811.tif 000009
【図８】
2004219811.tif 000010